(57)【特許請求の範囲】
【請求項１】
監視制御装置及び複数の集線装置が送受信装置を介して共通の伝送路と接続され、前記集線装置に接続される各機器の監視制御を前記監視制御装置が行う遠方監視システムにおいて、
前記送受信装置の回線断を検出して前記監視制御装置に転送する回線断検出部と、前記集線装置の故障を検出して前記監視制御装置に転送する故障検出部とを設け、
前記回線断検出部及び前記故障検出部による前記監視信号の転送を、隣接する前記集線装置に接続して転送することを特徴とする遠方監視システム。
【請求項２】
前記回線断検出部が検出する回線断の検出を、前記監視制御装置より一定の周期で繰り返されるフレームの特定スロットに特定パターンを挿入して前記伝送路に送出し、前記送受信装置が前記フレーム周期で信号が受信されないときに回線断と判定することを特徴とする請求項１記載の遠方監視システム。
【発明の詳細な説明】
【０００１】
【発明の属する技術分野】
本発明は、遠方監視システムに関し、特に、ビル管理などに使用される遠方監視システムに関する。
【０００２】
【従来の技術】
今日では、ビル管理等においては、直接現地に行かずに、設置されている機器の監視制御を遠方監視システムによって行っている。
【０００３】
従来の遠方監視システムは、例えば、区画内に設置されている機器を集線装置に接続して多重化し、送受信装置を介して共通伝送路に接続し、監視制御を行う監視制御装置に転送して各機器の監視制御を行っていた。
【０００４】
【発明が解決しようとする課題】
しかし、前述した遠方監視システムにおいては、故障が発生した場合、どこで故障が発生したのか、また故障が伝送系であるか集線系におけるものかも監視制御装置からは判断することが出来ず、直接現地に行って確認しなければならなかった。
【０００５】
そこで、本発明は、上記従来の遠方監視システムにおける問題点に鑑みてなされたものであって、監視制御装置より故障地点及び故障区別を容易に判断することができる遠方監視システムを提供することを目的とする。
【０００６】
【課題を解決するための手段】
請求項１記載の発明は、監視制御装置及び複数の集線装置が送受信装置を介して共通の伝送路と接続され、前記集線装置に接続される各機器の監視制御を前記監視制御装置が行う遠方監視システムにおいて、前記送受信装置の回線断を検出して前記監視制御装置に転送する回線断検出部と、前記集線装置の故障を検出して前記監視制御装置に転送する故障検出部とを設け、前記回線断検出部及び前記故障検出部による前記監視信号の転送を、隣接する前記集線装置に接続して転送することを特徴とする。
【０００８】
請求項２記載の発明は、前記回線断検出部が検出する回線断の検出を、前記監視制御装置より一定の周期で繰り返されるフレームの特定スロットに特定パターンを挿入して前記伝送路に送出し、前記送受信装置が前記フレーム周期で信号が受信されないときに回線断と判定することを特徴とする。
【０００９】
そして、請求項１記載の発明によれば、回線断検出部によって送受信装置の回線断を検出して監視制御装置に転送し、また、故障検出部によって集線装置の故障を検出して監視制御装置に転送するようにしたので、監視制御装置において故障地点及び故障区別を容易に判断することができるとともに、回線断検出信号及び故障検出信号を隣接する集線装置に接続して監視制御装置に転送するようにしたので、信号を転送するための伝送路を容易に得ることができる。
【００１１】
請求項２記載の発明によれば、回線断の検出を監視制御装置より一定周期で繰り返されるフレームの中の特定スロットの特定パターンを受信し、信号がフレーム周期で受信されなくなったときに回線断を判定するようにしたので、伝送路に信号が伝送されていなくても、常時回線が正常に動作しているか否かを監視することができる。
【００１２】
【発明の実施の形態】
次に、本発明にかかる遠方監視システムの実施の形態の具体例を図面を参照しながら説明する。
【００１３】
図１は、本発明にかかる遠方監視システムの一実施例を示す図であって、送受信装置２Ａ、２Ｂ及び２Ｃは、それぞれ接続器３Ａ、３Ｂ及び３Ｃを介して、監視制御信号を伝送する伝送路１に接続されている。
【００１４】
また、送受信装置２Ａは監視制御を行う監視制御装置７と、送受信装置２Ｂ及び２Ｃはそれぞれ集線装置４Ｂ及び４Ｃと接続されている。
【００１５】
集線装置４Ｂ及び４Ｃは、例えば、ビル内を適当な区画で区切って、区画毎に設けられ、区画中に設置されているビル管理を行う各機器と接続し、各機器よりの監視制御装置を多重化して監視制御装置７に転送する。
【００１６】
監視制御装置７は、集線装置４Ｂ及び４Ｃより転送された監視信号によって各機器の状態を監視するとともに、必要に応じて警報を発して各機器に対する制御信号を転送して制御を行う。
【００１７】
集線装置４Ｂ及び４Ｃには、それぞれ集線装置４Ｂ及び４Ｃの故障を検出する故障検出部５Ｂ及び５Ｃが設けられており、また、集線装置４Ｂ及び４Ｃと接続される送受信装置２Ｂ及び２Ｃには、それぞれ回線断を検出する回線断検出部６Ｂ及び６Ｃが設けられている。
【００１８】
故障検出部５Ｂ及び回線断検出部６Ｂで検出された信号は、監視制御装置７に、また故障検出部５Ｃ及び回線断検出部６Ｃで検出された信号は、伝送路１の監視制御装置７側に設けられている集線装置４Ｂに接続されて、監視制御装置７に転送される。
【００１９】
このように構成することによって、回線断信号及び故障信号を転送する伝装置路を容易に得ることができるとともに、例えば接続器３Ａと３Ｂとの間で伝送路が断線しても、また、接続器３Ｃのコネクタが抜けた場合でも回線断信号を監視制御装置７に転送することができ、回線断になったか故障が発生したかを判断することができる。
【００２０】
次に、回線断検出部６Ｂ及び６Ｃが回線断を検出する一例を図２を参照して説明する。
【００２１】
図２は、伝送路１で信号を伝送するときのフレーム構成を示しており、周期Ｔで繰り返される。
【００２２】
Ｍ符号は基準となる監視制御装置７に対応した符号で監視制御装置７よりフレーム毎に送出される。また、Ｍデータは監視制御装置７より集線装置４Ｂ、４Ｃに転送する信号を多重化するスロットである。
【００２３】
Ｓ符号及びＳデータは、集線装置４Ｂ、４Ｃより監視制御装置７に転送するスロットで、すべての集線装置４Ｂ、４Ｃで共用し、Ｓ符号にはＳデータのスロットでデータを転送しているときの集線装置に対応する符号が転送される。
【００２４】
Ｍ符号は毎フレーム毎に伝送路１に送出されているため、各回線断検出部２Ｂ、２Ｃ、・・・は一定周期でＭ符号が受信されなかったときに回線断と判定する。
【００２５】
尚、本実施例では、回線断検出部６Ｂ、６Ｃ及び故障検出部５Ｂ、５Ｃの出力を隣接する監視制御装置７側の集線装置４Ｂ、４Ｃに接続していたが、伝送路１と同様の伝送路を用いて監視制御装置７に伝送してもよく、また、直接各回線断検出部６Ｂ、６Ｃ及び故障検出部５Ｂ、５Ｃの出力を監視制御装置７に接続してもよい。
【００２６】
【発明の効果】
以上説明したように本発明によれば次の効果が得られる。請求項１記載の発明によれば、監視制御装置において故障地点及び故障区別を容易に判断することができるとともに、信号を転送するための伝送路を容易に得ることが可能な遠方監視システムを提供することができる。
【００２８】
請求項２記載の発明によれば、上記効果に加え、伝送路に信号が伝送されていなくても、常時回線が正常に動作しているか否かを監視することが可能な遠方監視システムを提供することができる。
【図面の簡単な説明】
【図１】本発明にかかる遠方監視システムの一実施例を示す構成図である。
【図２】  上記実施例における信号伝送用のフレームフォーマットを示す図である。
【符号の説明】
１            伝送路
２Ａ、２Ｂ、２Ｃ            送受信装置
３Ａ、３Ｂ、３Ｃ            接続器
４Ｂ、４Ｃ    集線装置
５Ｂ、５Ｃ      故障検出部
６Ｂ、６Ｃ      回線断検出部
７      監視制御装置
【図１】
0003720975.tif 000002
【図２】
0003720975.tif 000003